(57)【要約】【課題】小扉を設けた引戸本体と、小扉を設けない引戸本体との互換性を高め、施工目的に合わせた部品を適宜選択することにより、簡単に小扉の有無を選択できる引戸門扉を提供する。【解決手段】方形状に枠組みした扉体を有する扉体ユニット２１を連結して引戸本体２を形成し、戸当り端に位置する引戸本体２の縦框として、引戸本体２の施錠を行う錠装置付縦框あるいは引戸本体２の戸当り端に小扉５を吊持する小扉吊持縦框６の何れかを選択して取付けたことにより、小扉５を設けた引戸門扉１と小扉を設けない引戸門扉への変更を容易に行う。【選択図】        図１
2004257086.tif 000002
【特許請求の範囲】
【請求項１】
方形状に枠組みした扉体を備えた引戸門扉であって、戸当り端に位置する引戸本体の縦框として、引戸本体の施錠を行う錠装置付縦框あるいは引戸本体の戸当り端に小扉を吊持する小扉吊持縦框の何れかを選択して取付けたことを特徴とする引戸門扉。
【請求項２】
複数の扉体ユニットを連結して引戸本体を形成したことを特徴とする請求項１に記載の引戸門扉。
【請求項３】
小扉吊持縦框に落し棒装置が設けられ、落し棒装置の操作ノブは、小扉を閉成した際に小扉の吊元端面と対向する小扉吊持縦框の側面に設けたことを特徴とする請求項１に記載の引戸門扉。
【発明の詳細な説明】
【０００１】
【発明の属する技術分野】
この発明は、人、車両等が通行する通路部を開閉可能とした引戸門扉に関するものであり、特に引戸本体の戸当り端に水平回動可能な小扉を任意に装着可能とした引戸門扉に関するものである。
【０００２】
【従来の技術】
従来、学校、工場等の開口幅の大きい通路部を開閉する門扉として引戸門扉が知られている。このような引戸門扉は、通路部の幅に相当する大きな引戸本体が移動するので、人が一人通行する場合であっても、引戸本体を移動させなければならず、開閉操作に手間を要するものであった。
【０００３】
そこで、特許文献１に示されるように、引戸本体の先端に水平回動自在な小扉を設けた引戸門扉が従来提案されている。
特許文献１に示される引戸門扉であれば、人が一人通行する場合には、戸当り端に位置する小扉だけを開閉操作して通行することが可能であり、引戸本体を移動させなくて済むので使い勝手の良いものである。
【０００４】
しかしながら、特許文献１に開示されている引戸門扉は、引戸本体の戸当り端に蝶番を介して小扉を取付けたに止まり、これは小扉を設けた専用の引戸門扉であって、小扉を設けない一般的な引戸門扉との互換性については、何等開示されていない。
【０００５】
【特許文献１】
実用新案登録第２５２０００９号公報
【０００６】
【発明が解決しようとする課題】
この発明の目的は、小扉を設けた引戸本体と、小扉を設けない引戸本体との互換性を高め、施工目的に合わせた部品を適宜選択することにより、簡単に小扉の有無を選択できる引戸門扉を提供することを目的とする。
【０００７】
【課題を解決するための手段】
本発明者等は、このような事情に鑑み鋭意検討を重ねた結果、方形状に枠組みした扉体を備えた引戸門扉であって、戸当り端に位置する引戸本体の縦框として、引戸本体の施錠を行う錠装置付縦框あるいは引戸本体の戸当り端に小扉を吊持する小扉吊持縦框の何れかを選択して取付け可能としたことによって、所期の目的を達成したものである。
【０００８】
また、複数の扉体ユニットを連結して引戸本体を形成したことにより、通路部の開口幅に合わせて複数の扉体ユニットを用意し、戸当り端に位置する扉体ユニットの縦框だけを変更することにより、小扉を設けた引戸門扉と設けない引戸門扉を簡単に選択できるので、現場に合わせた引戸門扉の施工を極めて容易に行うことができる。
【０００９】
さらに、小扉吊持縦框に落し棒装置が設けられ、落し棒装置の操作ノブは、小扉を閉成した際に小扉の吊元端面と重なり合う小扉吊持縦框の側面に設けたので、小扉の閉成状態では、落し棒装置を操作することができず、小扉が施錠している状態あるいは小扉を閉成したままの状態での引戸本体の移動を阻止することができ、錠装置の破損等を防ぐことができる。
【００１０】
【作用】
この発明によれば、引戸本体の戸当り端に位置する縦框を、引戸本体の施錠を行う錠装置付縦框あるいは小扉の吊持を行う小扉吊持縦框の何れかを選択して取付けることにより、小扉を設けた引戸門扉と小扉を設けない引戸門扉への変更を極めて容易に行うことができる。
【００１１】
【発明の実施の形態】
以下、発明の実施の形態を実施例に基づき説明する。
図１ないし１１は本発明引戸門扉１の実施例であり、図中２は引戸本体を表わし、通路部Ｒに敷設した案内レール３に沿って移動自在である。本実施例における引戸本体２は、二つの扉体ユニット２１，２１を連結して構成されており、各扉体ユニット２１，２１の下部にはローラ４が設けられ、ローラ４がレール３の上面を転動する。扉体ユニット２１の個数は、通路部Ｒの幅に合わせて適宜変更され、一つあるいは三つ以上でも構わない。扉体ユニット２１の扉体は、左右に位置する縦框２１１を上下に位置する横框２１２の両側に螺子２１３を介して取付け、縦框２１１と横框２１２を矩形状に枠組みし、該枠内に複数の縦桟２１４が配設される。
【００１２】
引戸本体２の戸当り端には小扉５が設けられており、人が一人通行できる程度の通路部Ｒを開閉可能である。小扉５は、引戸本体２の戸当り端に位置する小扉吊持縦框６に蝶番７を介して水平回動自在に取付けられており、図２の平面図に示すとおり、小扉５は約９０°の範囲で回動自在となっている。引戸本体２の戸当り端に位置する小扉吊持縦框６は、小扉５を吊持専用の縦框であり、小扉５が設けられていない引戸本体の縦框とは異なる。小扉５が設けられない縦框は図１２に示す錠装置付縦框８であり、通路部Ｒの一側に立設した戸当り柱９に設けたストライク９１と係合可能なラッチ１０を設けた錠装置８１が内蔵されている。図中８１１は、ラッチ１０とストライク９１の係合を解除するサムターンである。
一方、小扉５が取付けられる小扉吊持縦框６には錠装置が設けられておらず、その代わりに落し棒装置１１が設けられている。
【００１３】
小扉５が取付けられる小扉吊持縦框６と錠装置８１が設けられる錠装置付縦框８は、扉体ユニット２１の戸当り端に位置する縦框２１１を取外して小扉吊持縦框６と錠装置付縦框８の何れかを取付けることにより、小扉５の吊持機能、引戸本体２の施錠機能を任意に付与することができる。小扉吊持縦框６と錠装置付縦框８は、縦框２１１と同様に、横框２１２に螺子２１３を用いて取付けられる。
【００１４】
小扉５は縦框５１と横框５２を枠組みし、上下横框５２の間に複数の縦桟５３が配設されている。なお、縦桟５３が配設される間隔は、扉体ユニット２１における縦桟２１４の間隔と等間隔に配設され、小扉５と扉体ユニット２１が連なった状態では、連続するような外観を呈するものである。
小扉５の回動端となる戸当り側の縦框５１には、錠装置１２が設けられており、錠装置１２のラッチ１２１が、戸当り柱９に設けた施錠部材９２のストライク９２１と係合可能である。なお、図中１２２はストライク９２１からラッチ１２１の係合を解除する操作ハンドルである。
【００１５】
小扉吊持縦框６に設けられた落し棒装置１１は、蝶番７が取付けられた小扉吊持縦框６の側面に操作ノブ１１１が設けられ、操作ノブ１１１に連結された連結杆１１２が小扉吊持縦框６の中空内部に配設され、連結杆１１２の下端に連結ピン１１３の一端が取付けられ、該連結ピン１１３の他端が落し棒１１４の上端部に連結され、落し棒１１４は小扉吊持縦框６下側部に取付けたガイド部材１１５の内部を上下動自在に規制されている。よって、操作ノブ１１１を上下操作することにより、連結杆１１２、連結ピン１１３を介して落し棒１１４が小扉吊持縦框６の下端から出没自在となる。
【００１６】
このように、連結杆１１２、連結ピン１１３を介して操作ノブ１１１と落し棒１１４を連結しているのは、操作ノブ１１１の真下位置に、案内レール３が位置しており、案内レール３に落し棒１１４が係合する受穴を形成すると、ローラ４の転動面に凹みが生じ、引戸本体２の円滑な開閉動作が行われないからである。操作ノブ１１１の真下位置が、案内レール３の位置から外れていれば、操作ノブ１１１と落し棒１１４を一直線に連結しても構わない。
【００１７】
操作ノブ１１１は、小扉５を連結する蝶番７が取付けられた面に設けられており、小扉５の閉成状態（引戸本体２と小扉５が平面視で一直線に連なった状態）では、小扉５の吊元端面となる縦框５１の側面と、操作ノブ１１１が設けられた小扉吊持縦框６の側面が対向し、隙間から手を差し込んで操作ノブ１１１を操作することができなくなる。よって、小扉５を施錠している状態あるいは小扉５を閉成したままの状態では、引戸本体２の移動を阻止することができ、錠装置１２の破損等を防ぐことができる。
【００１８】
小扉５の下横框５２の下面には、ラッチ受孔１３１を形成したラッチ受金具１３が取付けられており、引戸本体２の扉体ユニット２１の下枠２１５には小扉ストッパー１４が取付けられ、小扉ストッパー１４の下面にはローラーラッチ１４１が出没自在に設けられている。そして小扉５を開成した際に、小扉５の下横框５２が引戸本体２側の小扉ストッパー１４に当接するまで回動し、ラッチ受金具１３のラッチ受孔１３１に小扉ストッパー１４のローラーラッチ１４１が係合し、小扉５が開成状態に保持される。開成状態から再び、小扉５を閉成する際には、ラッチ受孔１３１とローラーラッチ１４１の係合力に抗して、小扉５を回動すれば良い。
【００１９】
図１〜３に示したとおり、図中１５は通路部Ｒに設けたストッパー部材であり、引戸本体２に設けた係合部材２２と当接することにより、引戸本体２の移動範囲を規制している。小扉５と戸当り柱９との衝突を避ける為にも、小扉５を設けた引戸本体２の戸当り側への移動範囲は、小扉５の幅分だけ残して停止する位置にストッパー部材１５を設けるべきである。
【００２０】
以上の構成からなる本発明引戸門扉１によれば、引戸本体２に小扉５を取付ける際には、扉体ユニット２１の縦框２１１を取外して、小扉５を吊持可能な小扉吊持縦框６を取付けることにより、小扉５の取付けが可能となる。また、小扉５を設けない場合には、戸当り側に位置する扉体ユニット２１の縦框２１１を取外して、錠装置８１を設けた錠装置付縦框８を取付けることにより、一般的な引戸門扉としての利用が可能となる。
なお、図中１６は縦框６、８に設けた引戸本体２移動操作用の取手である。
【００２１】
【発明の効果】
本発明引戸門扉によれば、引戸本体の戸当り端に位置する縦框だけを、引戸本体の施錠を行う錠装置付縦框あるいは小扉の吊持を行う小扉吊持縦框に適宜変更することにより、小扉を設けた引戸門扉と小扉を設けない引戸門扉への変更を容易に行うことができると共に、部品の共用化を図り、専用部品を少なくし、コスト低減に寄与することができる等実施上の効果は多大である。
【図面の簡単な説明】
【図１】本発明引戸門扉を表す正面図
【図２】本発明引戸門扉を表す平面図
【図３】本発明引戸門扉の側面図
【図４】本発明引戸門扉の扉体ユニットを表す一部切欠断面図
【図５】本発明引戸門扉における小扉取付け部分の立面図
【図６】本発明引戸門扉における小扉取付け部分の平面図
【図７】本発明引戸門扉における小扉吊持縦框の全体図
【図８】本発明引戸門扉の小扉を表す正面面
【図９】本発明引戸門扉の小扉の施錠状態を表す要部断面図
【図１０】本発明引戸門扉の小扉の開成状態を表す平面図
【図１１】本発明引戸門扉の小扉の開成状態を表す要部拡大図
【図１２】本発明引戸門扉の施錠用縦框と戸当り柱の施錠状態を表す要部拡大図
【符号の説明】
１      引戸門扉
２      引戸本体
５      小扉
６      小扉吊持縦框
８      錠装置付縦框
１１      落し棒装置
２１      扉体ユニット
２１１      縦框
【図１】
2004257086.tif 000003
【図２】
2004257086.tif 000004
【図３】
2004257086.tif 000005
【図４】
2004257086.tif 000006
【図５】
2004257086.tif 000007
【図６】
2004257086.tif 000008
【図７】
2004257086.tif 000009
【図８】
2004257086.tif 000010
【図９】
2004257086.tif 000011
【図１０】
2004257086.tif 000012
【図１１】
2004257086.tif 000013
【図１２】
2004257086.tif 000014